(57)【要約】【課題】比較的高価な果実を包装する紙製の箱本体と蓋体からなる果実包装用紙箱において、極めて簡単な構造で箱本体の上縁と蓋体の間に隙間を確保することができる新規な紙箱を提供する。【解決手段】内側の端板２５の左右外端部に備える係合片３０が、内側の端板の外縁２５ａと平行な切線２５ｂと、切線の基端から外縁２５ａに至る折線２５ｃで囲まれ、内側の側板２３の内面に摺接可能な長さを備える。貼り合せ状態の内外の側板２２，２３を折線２１ａに沿って立ち上げ、内外の端板２４，２５を折り重ねて折線２１ｂに沿って立ち上げた際、係合片３０の先端３０’が内側の側板２３の内面に摺接して、各係合片３０が蓋箱２の内側へ自動的に突出する。【選択図】  図３
0003107427.tif 000002
【実用新案登録請求の範囲】
【請求項１】
上面開放形の四角形状の箱本体（１）と、該箱本体の上面開放部（１１）を被う下面開放形の四角形状の蓋箱（２）からなり、前記蓋箱内側における各コーナー部（４０）の上部に、該蓋箱内側へ突出して前記箱本体の上縁（１２）に係合する係合片（３０）を備え、各係合片（３０）により、前記箱本体の上縁（１２）と前記蓋箱の天面板（２１）の間に果実上面保護用の隙間（Ｓ）が確保されるよう形成した果実包装用紙箱であって、
前記蓋箱（２）が、少なくとも天面板（２１）と、該天面板の左右側縁に折線（２１ａ）を介して連設され予め貼り合せた内外二枚折りの側板（２２，２３）と、前記天面板の前後縁に折線（２１ｂ）を介して連設された内外二枚折りの端板（２４，２５）と、を備えた一枚の紙製基材（２’）の要所の折り曲げにより組み立てられると共に、前記内側の端板（２５，２５）の左右外端部に前記係合片（３０）を備え、
前記係合片（３０）が、前記内側の端板（２５）の外縁（２５ａ）に対し平行な切線（２５ｂ）と、該切線（２５ｂ）の基端から前記外縁（２５ａ）に至る折線（２５ｃ）で囲まれると共に、前記内側の側板（２３）の内面に摺接可能な長さを備えるよう形成され、
貼り合せ状態の前記内外の側板（２２，２３）を折線（２１ａ）に沿って立ち上げ、前記内外の端板（２４，２５）を折り重ねて折線（２１ｂ）に沿って立ち上げた際、前記係合片（３０）の先端（３０’）が前記内側の側板（２３）の内面に摺接して、各係合片（３０）が蓋箱（２）の内側へ突出するよう形成したことを特徴とする果実包装用紙箱。
【請求項２】
前記内側の側板（２３，２３）の左右端部に係止凹部（３１）を形成すると共に、前記内側の端板（２５，２５）の左右縁に、前記係合凹部に差し込まれる係止片（３２）を折線（３３）を介して連設し、それら係止凹部と係止片の係合により前記蓋箱（２）の組み立て状態を維持するよう形成したことを特徴とする請求項１記載の果実包装用紙箱。
【請求項３】
前記内外の側板（２２，２３）の左右縁に、折線（２２ａ，２３ａ）を介して連設された補強片（２６，２７）を備え、それら補強片が、組み立て状態にある前記蓋箱（２）において、前記内側の端板（２５）と外側の端板（２４）の間に差し込まれていることを特徴とする請求項１又は２記載の果実包装用紙箱。
【考案の詳細な説明】
【技術分野】
【０００１】
本考案は、例えばサクランボ、ビワ、イチゴ、キューイなどの果実を包装するための紙箱に関する。
【背景技術】
【０００２】
通常、この種の果実は、例えば特許文献１に開示されるような透明合成樹脂製のパックケースに乱詰めされており、上面を透明樹脂フィルムで覆った包装形態で出荷され、店頭に陳列されている。
【０００３】
一方、これら果実の中でも品質の良い高価な品種のものは、搬送時や保管時に果実が損傷するようなことがないよう、例えば特許文献２に開示されるような紙製の箱本体内に、例えば特許文献３に開示されるような合成樹脂製トレーを敷いて列積みされ、その上から紙製の蓋体で塞がれるようになっている。また、この包装形態においては、店頭に陳列する際などの果実の見栄えを良くするために、果実上半部分が箱本体の上面開放部より上方に位置して浮き出るよう、トレーにより個々の果実を保持している。
【０００４】
【特許文献１】実開平３−１１６１６号公報
【特許文献２】実開平１−１６４１１８号公報
【特許文献３】実開昭６３−１９７８８２号公報
【考案の開示】
【考案が解決しようとする課題】
【０００５】
しかし、前述の紙箱による包装形態によれば、個々の果実の上半部分が箱体の上面開放部より上方へ突出するので、果実上半部分が蓋体にあたって損傷する虞れがある。
そこで、蓋体の裏面に、箱本体の上縁に係合する段部を形成して、箱本体の上縁と蓋体の間に隙間を確保することも考えられるが、この場合、蓋体の組み立てが面倒になると共に紙材の使用量が多くなり、紙箱の作成コストが高くなるなどの問題がある。
【０００６】
そこで、本願出願人は、蓋箱内側における各コーナー部の上部に、蓋箱内側へ突出して箱本体上縁に係合する係合片を備え、各係合片により箱本体上縁と蓋箱天面板の間に果実上面保護用の隙間が確保されるよう形成した果実包装用紙箱を提案し、先に出願した（実願２００４−２８５９号参照）。
処で、先提案の果実包装用紙箱は、蓋箱が、天面板の左右側縁に折線を介して連設された内外二枚折りの側板と、天面板の前後縁に折線を介して連設された内外二枚折りの端板を備えた一枚の紙製基材の要所の折り曲げで組み立てるようになっており、その組み立ては、内外の側板を折り重ねて天面板の左右側縁に立ち上げ、内外の端板を折り重ねて天面板の前後縁に立ち上げることでなされ、且つ係合片を蓋箱内側に引き出す行為を要するので、蓋箱組み立て時の作業性に劣るという問題があった。
【０００７】
本考案はこのような従来事情に鑑みてなされたもので、その目的とする処は、比較的高価な果実を包装する紙製の箱本体と蓋体からなる果実包装用紙箱において、極めて簡単な構造で箱本体の上縁と蓋体の間に隙間を確保することができ、且つ、蓋箱の組み立てが容易で、係合片が自動的に蓋箱内側に突出する新規な紙箱を提供することにある。
【課題を解決するための手段】
【０００８】
以上の目的を達成するために、本考案に係る果実包装用紙箱は、上面開放形の四角形状の箱本体（１）と、該箱本体の上面開放部（１１）を被う下面開放形の四角形状の蓋箱（２）からなり、前記蓋箱内側における各コーナー部（４０）の上部に、該蓋箱内側へ突出して前記箱本体の上縁（１２）に係合する係合片（３０）を備え、各係合片（３０）により、前記箱本体の上縁（１２）と前記蓋箱の天面板（２１）の間に果実上面保護用の隙間（Ｓ）が確保されるよう形成した果実包装用紙箱であって、
前記蓋箱（２）が、少なくとも天面板（２１）と、該天面板の左右側縁に折線（２１ａ）を介して連設され予め貼り合せた内外二枚折りの側板（２２，２３）と、前記天面板の前後縁に折線（２１ｂ）を介して連設された内外二枚折りの端板（２４，２５）と、を備えた一枚の紙製基材（２’）の要所の折り曲げにより組み立てられると共に、前記内側の端板（２５，２５）の左右外端部に前記係合片（３０）を備え、
前記係合片（３０）が、前記内側の端板（２５）の外縁（２５ａ）に対し平行な切線（２５ｂ）と、該切線（２５ｂ）の基端から前記外縁（２５ａ）に至る折線（２５ｃ）で囲まれると共に、前記内側の側板（２３）の内面に摺接可能な長さを備えるよう形成され、
貼り合せ状態の前記内外の側板（２２，２３）を折線（２１ａ）に沿って立ち上げ、前記内外の端板（２４，２５）を折り重ねて折線（２１ｂ）に沿って立ち上げた際、前記係合片（３０）の先端（３０’）が前記内側の側板（２３）の内面に摺接して、各係合片（３０）が蓋箱（２）の内側へ突出するよう形成したことを特徴とする。
【０００９】
前記内側の側板（２３，２３）の左右端部に係止凹部（３１）を形成すると共に、前記内側の端板（２５，２５）の左右縁に、前記係合凹部に差し込まれる係止片（３２）を折線（３３）を介して連設し、それら係止凹部と係止片の係合により前記蓋箱（２）の組み立て状態を維持するよう形成することが好ましい。
【００１０】
また、前記内外の側板（２２，２３）の左右縁に、折線（２２ａ，２３ａ）を介して連設された補強片（２６，２７）を備え、それら補強片が、組み立て状態にある前記蓋箱（２）において、前記内側の端板（２５）と外側の端板（２４）の間に差し込まれていることが好ましい。
【考案の効果】
【００１１】
本考案に係る果実包装用紙箱は以上説明したように、蓋箱の内側空間の各コーナー部に備えた係合片により箱本体と蓋箱の間に隙間を確保する構成としたので、個々の果実の上半部分が箱本体の上面開放部より上方へ突出する状態で箱本体に収納された状態であっても、果実上半部分が蓋体にあたって損傷するような虞れを回避し、比較的高価な果実を包装するための包装用紙箱として好適に供することができる。
また、蓋箱の内側空間の各コーナー部のみに設けた係合片により前述の効果を得られると共に、該蓋箱は、内外二枚折りの側板を予め貼り合せた紙製基材の要所の折り曲げで組み立てられ、且つ、内外二枚折りの端板を立ち上げた際に、係合片の先端が内側の側板の内面に摺接して、各係合片が自動的に折りあがるので、蓋箱の組み立てが極めて容易であると共に紙材の使用量も少なくて済み、低コストでの提供が可能である等、多くの効果を奏する。
【考案を実施するための最良の形態】
【００１２】
以下、本考案に係る果実包装用紙箱の実施形態の一例を、図１〜図５を参照しながら説明する。
箱本体１と蓋箱２は夫々、板紙などを所要形状に裁断すると共に、所要箇所に折線と切線を形成した一枚の紙製基材の要所の折り曲げと必要に応じた要所の貼り着けで、箱本体１においては上面開放形の四角形状の箱型に、蓋箱２においては下面開放形の四角形状の箱型に夫々組み立てられたものである。
【００１３】
蓋箱２を構成する紙製基材２’の展開状態を図１に示す。この紙製基材２’は、天面板２１と、折線２１ａ，２１ｂを介してこれに連接する内外二枚折りの側板２２，２３及び内外二枚折りの端板２４，２５と、内側の側板２３の左右縁に折線２３ａを介して連設される補強片２６と、外側の側板２２の左右縁に折線２２ａを介して連設される補強片２７と、を備えている。
【００１４】
外側の端板２４と内側の端板２５の間には、折線２８ａ，２８ｂで挟まれる下縁板２８が連設されている。
【００１５】
内側の端板２５，２５の左右の外端部には、該端板２５の外縁２５ａに対し平行な切線２５ｂと、該切線２５ｂの基端から前記外縁２５ａに至る折線２５ｃで囲まれる係合片３０が形成されている。また各係合片３０は、蓋箱２の組み立て時に内外二枚折りの端板２４，２５を折線２１ｂに沿って立ち上げた際、その先端３０’が、内側の側板２３の内面に摺接して各係合片３０が自動的に折りあがり蓋箱２の内側空間に突出するよう、適宜長さをもって形成されている。そうして、各係合片３０が、内側の側板２３と内側の端板２５で挟まれるコーナー部４０の上端において蓋箱２の内側へ突出して箱本体１の上縁１２に係合し、該上縁１２と蓋箱２の天面板２１との間に果実上面保護用の隙間Ｓが確保されるようになっている。
【００１６】
内側の側板２３，２３の左右端部には係止凹部３１が開口状に形成されると共に、内側の端板２５，２５の左右縁には、その係合凹部３１に差し込まれる係止片３２が折線３３を介して連設されており、それら係止凹部３１と係止片３２の係合により、蓋箱２の組み立て状態を維持し得るようになっている。
【００１７】
内外の側板２２，２３の左右縁に連設された補強片２６，２７は、組み立て状態にある蓋箱２において、内側の端板２５と外側の端板２４の間に差し込まれ、蓋箱２の強度向上などに寄与している。
【００１８】
内側の側板２３と外側の側板２２は、予め、折線２９に沿って折り曲げて二枚重ねにした状態で、接着剤３５により相互に貼り付けられ、これにより、蓋箱２を組み立てる際の作業工程を簡略化すると共に、蓋箱２の強度向上などに寄与している。
【００１９】
本例の蓋箱２を組み立てる手順の一例を、図２，図３を参照しながら説明する。
まず、図２（イ）に示す展開状態において、内外の側板２２，２３は予め二枚折り状態で貼り合せてあり、この状態から、図２（ロ）に示すように、折線２１ａ，２１ａに沿って両側板２２，２３を立ち上げた後、図２（ハ）に示すように、折線２２ａ，２３ａに沿って、各補強片２６，２７を内側に折り曲げ、さらに、図２（ニ）、及び図３（イ）の拡大図に示すように、折線２１ｂ，２１ｂに沿って外側の端板２４を立ち上げる。
次いで、図３（ロ）〜（ニ）に示すように、折線２８ａ，２９ｂに沿って下縁板２８と内側の端板２５を順次折り曲げて、内外の端板２４，２５を折り重ねる。この時、各係合片３０が、その先端３０’を内側の側板２３の内面に摺接させ、折線３０に沿って内側の端板２５から自動的に折りあがり、蓋箱２の内側空間に突出する。
さらに、各係止凹部３１に各係止片３２を差し込むことで、蓋箱２の組み立てが完了すると共にその組み立て状態が維持される。
【００２０】
箱本体１を構成する紙製基材は、前述の係合片３０を備えないこと、天面板２１が底面板となること、下縁板２８が上縁板となることなど以外は、蓋箱２を構成する前述の紙製基材２’と同様に構成され、また組み立て手順も図２で示すものとほぼ同様の手順になるので、重複する説明及び図示を省略する。
【００２１】
このようにして組み立てられた箱本体１と蓋箱２からなる本例の果実包装用紙箱は、図４，図５に示すように、蓋箱２の内側空間の四つのコーナー部４０の上端に係合片３０を備え、この係合片３０により、各コーナー部４０の上端に略三角形状の段部が形成され、該段部（係合片３０）が箱本体１の上縁１２に係合するので、箱本体１と蓋箱２の間に隙間Ｓが確保される。よって、箱本体１内にトレー１３などを介して収納され、上半部分が上面開放部１１からわずかながら突出する果実５０に、蓋箱２の天面板２１が当たるようなことが無く、個々の果実の損傷を防止することができる。
【００２２】
また、蓋箱２は、内外二枚折りの側板２２，２３を予め貼り合せた紙製基材２’の要所の折り曲げで組み立てられ、且つ、内外二枚折りの端板２４，２５を立ち上げた際に、係合片３０の先端３０’が内側の側板２３の内面に摺接して各係合片３０が自動的に折りあがるので、蓋箱２の組み立てが極めて容易であると共に紙材の使用量も少なくて済み、低コストでの提供が可能である。
【００２３】
以上、本考案の実施形態の一例を図面に基づいて説明したが、本考案に係る果実包装用紙箱は図示例に限定されるものではなく、実用新案登録請求範囲の各請求項に記載された技術的思想の範疇において種々の変更が可能であることは言うまでもない。
【図面の簡単な説明】
【００２４】
【図１】蓋箱を構成する紙製基材の展開状態の平面図。
【図２】蓋箱の組み立て手順を示す斜視図。
【図３】蓋箱の組み立て手順における要部の拡大斜視図。
【図４】組み立て後の箱本体と蓋箱の斜視図。
【図５】蓋箱を箱本体に被せた使用状態を示す縦断面図。
【符号の説明】
【００２５】
１：箱本体
１１：上面開放部
１２：上縁
２：蓋箱
２’：紙製基材
２１：天面板
２２：外側の側板
２３：内側の側板
２４：外側の端板
２５：内側の端板
２５ａ：外縁
２５ｂ：切線
２５ｃ：折線
２６，２７：補強片
３０：係合片
３０’：先端
３１：係止凹部
３２：係止片
４０：コーナー部
【図１】
0003107427.tif 000003
【図２】
0003107427.tif 000004
【図３】
0003107427.tif 000005
【図４】
0003107427.tif 000006
【図５】
0003107427.tif 000007